(57)【特許請求の範囲】
【請求項１】
冷凍冷蔵ショーケースのショーケース本体の底部下方の機械室に設置され、ドレンパンと該ドレンパン内に多孔質樹脂製の複数の蒸発板を併設するとともに送水ポンプを配設する冷却器からの除霜水などのドレン水を処理するドレン水蒸発装置において、該蒸発板の上側に、該蒸発板と独立する屋根状の傾斜面を有する多孔質樹脂製の散水板を設け、該散水板の先端部を前記蒸発板に形成した切欠きに嵌合させるとともに、前記送水ポンプの吐出側に連結した送水ホースに散水管を接続し、該散水管を前記散水板の傾斜面上にドレン水が散水できるように配設したことを特徴とするショーケースのドレン水蒸発装置。
【請求項２】
複数の蒸発板は櫛状のスペーサで前後及び底部を連結したことを特徴とする請求項１記載のショーケースのドレン水蒸発装置。
【請求項３】
送水ポンプは、オン時間の方がオフ時間よりも短いサイクルで間欠運転されることを特徴とする請求項１記載のドレン水蒸発装置。
【請求項４】
送水ホースの断面積よりも送水管の断面積を小さくし、該送水管の断面積よりも散水孔の総面積をさらに小さく形成することを特徴とする請求項１記載のショーケースのドレン水蒸発装置。
【請求項５】
蒸発装置は、機械室内で、圧縮機、凝縮器及び送風機の風下側に設置され、散水管は散水板の頂部よりも風上側に偏らせて設置することを特徴とする請求項１記載のショーケースのドレン水蒸発装置。
【発明の詳細な説明】
【０００１】
【産業上の利用分野】
本発明は、冷凍冷蔵ショーケースなどの冷却器から生じる除霜水などのドレン水を処理するドレン水蒸発装置に関する。
【０００２】
【従来の技術】
冷凍冷蔵ショーケースでは、ショーケース本体に設置した冷却器からの除霜水などのドレン水を処理する装置として、例えば実開平５−５９１８０号公報、実開平２−２４２７２号公報にも示されているように、商品を収納陳列するショーケース本体の下方に形成される機械室内にドレン水を強制的に蒸発する装置を設置している。
【０００３】
このドレン水蒸発装置は、図１０、図１１に示すようにショーケース本体１の底部に形成したドレン口に接続するドレン管３下方に位置させて、機械室２内に配設され、ドレン水を溜めるドレンパン７内に蒸発材として、支持枠１９で支承される連続する山形に折り畳んだ蒸発布１８を配設し、あるいは、図示は省略するが、ドレンパン７内にさらに送水ポンプを設置し、このポンプに接続するドレンホースを蒸発布１８の上部に配設する散水管に接続するものである。
【０００４】
他方、機械室２内には圧縮機３、凝縮器４、送風機５が設置されており、ドレン管３からドレンパン７内に落ちたドレン水を毛細管現象により蒸発布１８に吸い上げ、あるいは、ポンプ６、ドレンホースに吸い上げ散水管から蒸発布１８に散水し、送風機５により凝縮器４、圧縮機３を通過した温風を蒸発布１８に当て、これにより蒸発布１８に含ませたドレン水を排熱を利用して強制的に蒸発する。
【０００５】
【発明が解決しようとする課題】
蒸発材として蒸発布を用い、この蒸発布にドレン水を吸い上げさせる方法では、布に目詰まりが生じて吸い上げ量が減少し蒸発能力が低下して、ドレンパンからドレン水が溢れるおそれがある。また、布を連続する山形のジグザグ状に折るには手間を要する。
【０００６】
本発明の目的は前記従来例の不都合を解消し、目詰まりによる吸い上げ力の低下を防止し、蒸発材の各部に均一にドレン水を拡散でき蒸発効果が高く、さらに送水ポンプを併用する場合、ポンプの耐用年数を長くでき、騒音や使用電力も低減できるショーケースのドレン水蒸発装置を提供することにある。
【０００７】
【課題を解決するための手段】
本発明は前記目的を達成するため、第１に、冷凍冷蔵ショーケースのショーケース本体の底部下方の機械室に設置され、ドレンパンと該ドレンパン内に多孔質樹脂製の複数の蒸発板を併設するとともに送水ポンプを配設する冷却器からの除霜水などのドレン水を処理するドレン水蒸発装置において、該蒸発板の上側に、該蒸発板と独立する屋根状の傾斜面を有する多孔質樹脂製の散水板を設け、該散水板の先端部を前記蒸発板に形成した切欠きに嵌合させるとともに、前記送水ポンプの吐出側に連結した送水ホースに散水管を接続し、該散水管を前記散水板の傾斜面上にドレン水が散水できるように配設したことを要旨とするものである。
【０００８】
第２に、複数の蒸発板は櫛状のスペーサで前後及び底部を連結したことを要旨とするものである。
【０００９】
第３に、送水ポンプは、オン時間の方がオフ時間よりも短いサイクルで間欠運転されることを要旨とするものである。
【００１０】
第４に、送水ホースの断面積よりも送水管の断面積を小さくし、該送水管の断面積よりも散水孔の総面積をさらに小さく形成することを要旨とするものである。
【００１１】
第５に、蒸発装置は、機械室内で、圧縮機、凝縮器及び送風機の風下側に設置され、散水管は散水板の頂部よりも風上側に偏らせて設置することを要旨とするものである。
【００１２】
【作用】
請求項１記載の本発明によれば、蒸発材を多孔質樹脂製の蒸発板としたから、ドレン水に不純物が混入していてもこれが流され、目詰まりすることがなく、吸い上げ量が減少しない。また、蒸発板の上部に同じく多孔質樹脂製の屋根板を設け、さらにこの上に散水管を配設し、送水ポンプでドレンバンから散水管にドレン水を汲み上げることで、蒸発板の各部に均等にドレン水が行き渡り、蒸発能力が低下しない。
【００１３】
請求項２記載の本発明によれば、前記作用に加えて、複数の蒸発板は櫛状のスペーサで前後及び底部を連結することで、例えば底部のスペーサを外すだけで複数の蒸発板の全体を偏平に折り畳むことができ、コンパクトになり、組み立て時の扱いが容易になる。
【００１４】
請求項３記載の本発明によれば、前記作用に加えて、送水ポンプは、オン時間の方がオフ時間よりも短いサイクルで間欠運転されるから、ポンプの耐用年数が長くなり、駆動時間が短くなって騒音防止、電力節減にもなる。
【００１５】
請求項４記載の本発明によれば、前記作用に加えて、送水ホースの断面積よりも送水管の断面積を小さくし、該送水管の断面積よりも散水孔の総面積をさらに小さく形成することで、流路の先端にいくにしたがい、その断面積が小さくなり、流路内の水に加わる圧力が大きくなるから、散水管の先端まで水を送り込むことができて、散水管の全ての散水孔から均等に水を吐出できる。
【００１６】
請求項５記載の本発明によれば、蒸発装置は、機械室内で、圧縮機、凝縮器及び送風機の風下側に設置され、散水管は散水板の頂部よりも風上側に偏らせて設置することで、散水管から吐出したドレン水が風力を受けて散水板や蒸発板の一方に偏って流れることが防止され、散水板や蒸発板の各部に均等に流れる。
【００１７】
【実施例】
以下、図面について本発明に実施例を詳細に説明する。図１は本発明のショーケースのドレン水蒸発装置の実施例を示す斜視図、図２は本発明のドレン水蒸発装置を設置したショーケース本体底部の説明図で、本発明のドレン水蒸発装置も図１０に示した従来例と同様、ショーケース本体１の底部に形成したドレン口に接続するドレン管６下方に位置させて、機械室２内に配設され、ドレン水蒸発装置の風上側には、圧縮機３、凝縮器４、送風機５が順次配設してあり、ドレン水蒸発装置は送風機５の風下側に位置する。
【００１８】
本発明のドレン水蒸発装置は、ドレンパン７内に多孔質樹脂製の複数の蒸発板１１を併設するとともに送水ポンプ１２を配設し、該蒸発板１１の上面に多孔質樹脂製で屋根状の散水板１０を設け、前記送水ポンプ１２の吐出側に連結した送水ホース１３に散水管１４を接続し、該散水管１４を前記散水板１０の上部に配設する。この場合、散水管１４は、図７、図８に示すように散水板１０の頂部よりも風上側、すなわち送風機５の側に偏心させた位置に配設する。図中１５はポンプカバーを示す。
【００１９】
そして、前記蒸発板１１は、図３に示すように、櫛状のスペーサ１１ａで前後及び底部を連結するもので、蒸発板１１に形成した切欠きにスペーサ１１ａが嵌合し、例えば、底部のスペーサ１１ａは着脱自在に構成する。
【００２０】
散水板１０も図４に示すように、先端部が蒸発板１１に形成した切欠きに嵌合することで、蒸発板１１に固定される。
【００２１】
図中１６ａ，１６ｂは散水管１４の支持板で、これは複数並設した蒸発板の両側に設置され、この支持板１６ａ，１６ｂの上部で散水管１４の両端を支持する。散水管１４は下部に散水孔１４ａを設けたもので、この散水孔１４ａは図５に示すようにスリット状の切欠きで形成した。
【００２２】
送水ポンプ１２は、タイマ（図示は省略した）に接続し、オン時間の方がオフ時間よりも短いサイクルで間欠運転されるように構成した。このオン時間とオフ時間との関係は、例えば、散水板１０、蒸発板１１の全体が９０％以上保水するのに要する時間として３０秒をオン時間として設定し、濡れた蒸発板１１の保水量の約１／１０が蒸発するのに要する時間をオフ時間として設定した。ここで、オフ時間を濡れた蒸発板１１の保水量の約１／１０が蒸発するのに要する時間としたのは、１／１０程度までは保水量が減っても蒸発量には変化がないためであり、実験では約６分であるが、余裕をみて例えば４分３０秒に設定する。これにより、送水ポンプ１２の運転率が１０％程度に設定できる。
【００２３】
そして、図６に示すように、送水ホース１３の断面積よりも散水管１４の断面積の方を小さくし、散水管１４の断面積よりも散水孔１４ａの総面積をさらに小さく形成し、流路の先端にいくにしたがい、その断面積が小さくなり、流路内の水に加わる圧力が大きくなるように形成した。
【００２４】
また、図９に示すようにドレンパン７の底部にリブ８を立ち上げて、これによりゴミ溜９を形成する。
【００２５】
次に作用について説明する。冷却器からの除霜水等のドレン水はドレン管６から下方の散水板１０の上に落ち、この上を伝って流れさらに下方の蒸発板１１に流れ落ちる。そして、凝縮器４の排熱を送風機５で蒸発板１１に送り、この熱でドレン水を強制的に蒸発させる。
【００２６】
このとき、散水板１４を多孔質樹脂製としたので、ドレン水はこの上を広がりながら落ち、各部均一に流れ落ちる。また、ドレン水の中にゴミ等の不純物が混入していても、散水板１４と蒸発板１１の表面を流れ落ちるから、目詰まりしない。また、蒸発板１１はリブ８によりかさあげされた状態でドレンパン７内に設置されているから、ドレンパン７内に溜まったドレン水に混入しているゴミ等はゴミ溜９に溜まり、蒸発板１１への付着が減少する。
【００２７】
蒸発板１１で蒸発しきれずにドレンパン７に落ちたドレン水は、送水ポンプ１２で汲み上げ、送水ホース１３を介して散水管１４に送り、散水孔１４ａから再度散水板１０に流す。このとき、送水ホース１３、散水管１４のそれぞれの断面積、散水孔１４ａの総面積は、順次小さくなっており、流路が先細りの状態に形成されているから、流路内の水に加わる圧力を大きくでき、散水管１４の先端の散水孔１４ａまで水を確実に送り込むことができて、散水管１４の全ての散水孔１４ａから均等に水が吐出する。
【００２８】
この場合、散水孔１４ａはスリット状に形成したから、図５に示すように散水板１０の両側に均等に流れ、例えば丸孔状に比べて散水のバラツキが少なくなり、また、製作工程での加工も容易となる。
【００２９】
また、散水管１４は送風機５に対して風上側に設置してあるから、送風機５からの風力で散水孔１４ａから落ちる水が流されても、図７、図８に示すように散水板１４や蒸発板１１の一方に偏って水が流れることがなく、各部均一に水が流れる。
【００３０】
そして、送水ポンプ１２は運転率１０％程度の間欠運転とし、省エネと騒音減少を図った。
【００３１】
【発明の効果】
以上述べたように本発明のドレン水蒸発装置は、第１に、蒸発材を多孔質樹脂製の蒸発板としたから、ドレン水に不純物が混入していてもこれが流され、目詰まりすることがなく、吸い上げ量が減少しない。また、蒸発板の上部に同じく多孔質樹脂製の屋根板を設け、さらにこの上に散水管を配設し、送水ポンプでドレンバンから散水管にドレン水を汲み上げることで、蒸発板の各部に均等にドレン水が行き渡り、蒸発能力が低下しない。
【００３２】
第２に、複数の蒸発板は櫛状のスペーサで前後及び底部を連結することで、例えば底部のスペーサを外すだけで複数の蒸発板の全体を偏平に折り畳むことができ、コンパクトになり、組み立て時の扱いが容易になる。
【００３３】
第３に、送水ポンプは、オン時間の方がオフ時間よりも短いサイクルで間欠運転されるから、ポンプの耐用年数が長くなり、駆動時間が短くなって騒音防止、電力節減にもなる。
【００３４】
第４に、送水ホースの断面積よりも送水管の断面積を小さくし、該送水管の断面積よりも散水孔の総面積をさらに小さく形成することで、流路の先端にいくにしたがい、その断面積が小さくなり、流路内の水に加わる圧力が大きくなるから、散水管の先端まで水を送り込むことができて、散水管の全ての散水孔から均等に水を吐出できる。
【００３５】
第５に、蒸発装置は、機械室内で、圧縮機、凝縮器及び送風機の風下側に設置され、散水管は散水板の頂部よりも風上側に偏らせて設置することで、散水管から吐出したドレン水が風力を受けて散水板や蒸発板の一方に偏って流れることが防止され、散水板や蒸発板の各部に均等に流れるものである。
【図面の簡単な説明】
【図１】  本発明のドレン水蒸発装置の実施例を示す斜視図である。
【図２】  本発明のショーケースのドレン水蒸発装置を設置した機械室の部分の縦断側面図である。
【図３】  本発明のドレン水蒸発装置の蒸発板の側面図である。
【図４】  本発明のドレン水蒸発装置の蒸発板と散水板との嵌合部の縦断側面図である。
【図５】  本発明のドレン水蒸発装置の散水管の設置部分の縦断側面図である。
【図６】  本発明のドレン水蒸発装置の送水ポンプ、送水ホース、散水管の部分の斜視図である。
【図７】  本発明のドレン水蒸発装置の散水管を散水板の頂部に設置した場合の縦断側面図である。
【図８】  本発明のドレン水蒸発装置の散水管を散水板の頂部からの偏心位置に設置した場合の縦断側面図である。
【図９】  本発明のドレン水蒸発装置のドレンパンの縦断側面図である。
【図１０】  従来のドレン水蒸発装置を設置した機械室の部分の縦断側面図である。
【図１１】  従来のドレン水蒸発装置の斜視図である。
【符号の説明】
１  ショーケース本体
２  機械室
３  圧縮機
４  凝縮器
５  送風機
６  ドレン管
７  ドレンパン
８  リブ
９  ゴミ溜
１０  散水板
１１  蒸発板
１１ａ  スペーサ
１２  送水ポンプ
１３  送水ホース
１４  散水管
１４ａ  散水孔
１５  ポンプカバー
１６ａ，１６ｂ  支持板
１８  蒸発布
１９  支持枠
【図１】
0003703870.tif 000002
【図２】
0003703870.tif 000003
【図３】
0003703870.tif 000004
【図４】
0003703870.tif 000005
【図５】
0003703870.tif 000006
【図６】
0003703870.tif 000007
【図７】
0003703870.tif 000008
【図８】
0003703870.tif 000009
【図９】
0003703870.tif 000010
【図１０】
0003703870.tif 000011
【図１１】
0003703870.tif 000012